(57)【要約】【課題】この発明は、使用者に知識がなくとも容易に使用することができ、また、検索の度に使用者の知識を大きく広げることができる、情報検索システムに関する。【解決手段】本発明に係る情報検索システムは、前記携帯移動端末２０が取得した検索情報を前記サーバ１０に送出すると共に、前記検索処理を該サーバ１０に対して要求し、前記サーバ１０は、前記携帯移動端末２０から受けた要求に対し前記検索情報に基づいて、該検索情報と関連付けられ少なくとも画像データを含んだ検索結果としての植物データ、若しくは動物データを、前記データベース１３から検索して前記携帯移動端末２０に送出し、前記携帯移動端末２０は、前記サーバ１０から送出された前記検索結果を該携帯移動端末２０に表示すると共に、前記検索結果としての植物データと動物データとは相互に関連付けられている。【選択図】図１
2009075714.tif 000002
【特許請求の範囲】
【請求項１】
予め少なくとも植物データ、及び動物データがそれぞれ記憶された植物データ蓄積部、及び動物データ蓄積部とを備えたデータベースに対する検索処理を実行するサーバと、前記サーバに対して検索処理を要求する少なくとも１つの携帯移動端末を具備する情報検索システムであって、
前記携帯移動端末が取得した検索情報を前記サーバに送出すると共に、前記検索処理を該サーバに対して要求し、
前記サーバは、前記携帯移動端末から受けた要求に対し前記検索情報に基づいて、該検索情報と関連付けられ少なくとも画像データを含んだ検索結果としての植物データ、若しくは動物データを、前記データベースから検索して前記携帯移動端末に送出し、
前記携帯移動端末は、前記サーバから送出された前記検索結果を該携帯移動端末に表示すると共に、
前記検索結果としての植物データと動物データとは相互に関連付けられていることを特徴とする情報検索システム。
【請求項２】
前記動物データは鳴声データと関連付けられていることを特徴とする請求項１記載の情報検索システム。
【請求項３】
前記検索情報が情報コードであることを特徴とする請求項１又は２記載の情報検索システム。
【請求項４】
前記情報コードが、植物の近傍で表示されることを特徴とする請求項３記載の情報検索システム。
【発明の詳細な説明】
【技術分野】
【０００１】
この発明は、データベースの検索において、効率的に検索対象物を検索することができる情報検索システムに関する。
【背景技術】
【０００２】
近年、多くのコンピュータ装置が、インターネット、社内ネットワーク、ＬＡＮ（Local Area Network）等のネットワークに接続されて使用されている。これらネットワークには、サービスを提供するコンピュータ装置としてサーバが接続されており、様々な情報がこのサーバに蓄積されている。使用者は、自分が使用する端末であるコンピュータ装置を、ネットワークを介してサーバに接続させ、様々な情報を入手することができる。
【０００３】
しかし、前記コンピュータ装置を使用したとしても植物や動物等を検索する際には、検索するだけでも、ある程度の知識が必要であった。また、例えばハイキング中に見かけた植物や動物等の名前を知るためには、写真を撮ったり、その特徴を記憶する等して、自宅に帰ってから調べる必要があるため、手間であり、結局それらの名前や生態を調べないままになることが頻繁にあった。そのため、以下のようなガイド装置が考案されている。
【０００４】
このガイド装置は、検索制御を行うＣＰＵと、読み出し専用記憶媒体と、表示部と、音声出力用スピーカと、操作ボタンとを備え、前記読み出し専用記憶媒体に格納されている情報を検索することにより動植物のガイドを行うガイド装置において、前記読み出し専用記憶媒体には、地図情報と、動植物図鑑データと、各動植物の生態等を示す動画像と、各動植物の生存エリア情報を各動植物に対応させたエリア情報と、観察時に視覚または聴覚により得られる各動植物の特徴情報を各動植物に対応させた検索キー情報とが格納され、前記ＣＰＵは、地図情報と共に前記検索キー情報を前記表示部に表示し、前記操作ボタンからの指示に基づいて、地図情報により指定されたエリア内に生存し、前記検索キー情報に対応する動植物の検索処理を行い、その結果特定された動植物の詳細なガイドを、文字、動画像、音声により行うことを特徴とするものである。（例えば、特許文献１）。
【０００５】
【特許文献１】特開平０８−６３４９０号公報
【発明の開示】
【発明が解決しようとする課題】
【０００６】
しかし、前記ガイド装置では、動植物の特徴から目的の対象動植物を検索することができるものの、その検索結果からは、特定の植物、特定の動物の生態しか知ることができず、使用者の知識を大きく広げることができないという問題がある。
【０００７】
この発明は上記のような種々の課題を解決することを目的としてなされたものであって、使用者に知識がなくとも容易に使用することができ、また、検索の度に使用者の知識を大きく広げることができる、情報検索システムに関する。
【課題を解決するための手段】
【０００８】
上記目的を達成するために、請求項１記載の情報検索システムは、予め少なくとも植物データ、及び動物データがそれぞれ記憶された植物データ蓄積部、及び動物データ蓄積部とを備えたデータベースに対する検索処理を実行するサーバと、前記サーバに対して検索処理を要求する少なくとも１つの携帯移動端末を具備する情報検索システムであって、前記携帯移動端末が取得した検索情報を前記サーバに送出すると共に、前記検索処理を該サーバに対して要求し、前記サーバは、前記携帯移動端末から受けた要求に対し前記検索情報に基づいて、該検索情報と関連付けられ少なくとも画像データを含んだ検索結果としての植物データ、若しくは動物データを、前記データベースから検索して前記携帯移動端末に送出し、前記携帯移動端末は、前記サーバから送出された前記検索結果を該携帯移動端末に表示すると共に、前記検索結果としての植物データと動物データとは相互に関連付けられていることを特徴としている。
【０００９】
請求項２記載の情報検索システムは、前記動物データは鳴声データと関連付けられていることを特徴としている。
【００１０】
請求項３記載の情報検索システムは、前記検索情報が情報コードであることを特徴としている。
【００１１】
請求項４記載の情報検索システムは、前記情報コードが、植物の近傍で表示されることを特徴としている。
【発明の効果】
【００１２】
請求項１記載の情報検索システムによれば、携帯移動端末が取得した検索情報をサーバに送出して検索処理を該サーバに対して要求するので、例えば使用者がハイキング等、屋外にいる際にも、容易に所望の情報を検索することができる。そして、携帯移動端末は、サーバから送出された検索結果を該携帯移動端末に表示するので、前述のようにして検索した情報を即座に確認することができる。また、検索結果としての植物データ、若しくは動物データには画像データを含んでいるので、例えば目の前にある樹木と、検索によって得られた樹木とが同一のものであるか否かを容易に判断することができ、さらに画像で再度確認することで、記憶に残りやすく使用者の知識を広げることができる。
【００１３】
そして、検索結果としての植物データと動物データとは相互に関連付けられているので、例えば特定の樹木を検索し、携帯移動端末に検索結果が表示された際には、当該樹木に生息、若しくは、当該樹木を好む鳥や昆虫等が同時に表示されると同時に、当該樹木と関連付けられた鳥や昆虫等の詳細な情報も取得することができるので、使用者は植物と動物との対応関係をより深く知ることができる。
【００１４】
請求項２記載の情報検索システムによれば、前記動物データは鳴声データと関連付けられている。そのため、文字だけでは認識し難い、鳥や昆虫等の鳴き声を実際に聞くことができ、使用者の知識をより広げることができる。
【００１５】
請求項３記載の情報検索システムによれば、検索情報が情報コードであるので、携帯移動端末の読取部から取得された情報コードを基に、サーバは該情報コードと関連付けられた検索結果を検索する。そのため、ハイキング中等において面倒な操作や、検索式等を作成せずとも目的の対象物の検索を行うことができるので、効率的であるという利点がある。
【００１６】
請求項４記載の情報検索システムによれば、情報コードが、植物の近傍で表示されるため、例えば植物の前を通りがかった通行人等が前記情報コードから当該植物の生態、さらには、当該植物に生息、若しくは、当該植物を好む動物等の生態を容易に検索することができるという利点がある。
【発明を実施するための最良の形態】
【００１７】
この発明における情報検索システムの最良の実施形態について、以下に説明する。本発明に係る情報検索システムは、図１に示すように、予め少なくとも植物データ、及び動物データがそれぞれ記憶された植物データ蓄積部１４、及び動物データ蓄積部１５とを備えたデータベース１３に対する検索処理を実行するサーバ１０と、前記サーバ１０に対して検索処理を要求する少なくとも１つの携帯移動端末２０を具備する情報検索システムであって、前記携帯移動端末２０が取得した検索情報を前記サーバ１０に送出すると共に、前記検索処理を該サーバ１０に対して要求し、前記サーバ１０は、前記携帯移動端末２０から受けた要求に対し前記検索情報に基づいて、該検索情報と関連付けられ少なくとも画像データを含んだ検索結果としての植物データ、若しくは動物データを、前記データベース１３から検索して前記携帯移動端末２０に送出し、前記携帯移動端末２０は、前記サーバ１０から送出された前記検索結果を該携帯移動端末２０に表示すると共に、前記検索結果としての植物データと動物データとは相互に関連付けられている。
【００１８】
前記サーバ１０は、図１に示すように、携帯移動端末２０等とネットワークを介してデータの送受信を行う送受信部１１と、携帯移動端末２０からの要求に基づき検索を実行する検索実行部１２と、少なくとも植物データ蓄積部１４と、動物データ蓄積部１５とを有するデータベース１３と、を備えている。また、植物データ蓄積部１４には、樹を始め、草や花等の植物データが蓄積され、動物データ蓄積部１５には、鳥を始め、蝶等の昆虫や魚等の動物データが蓄積されている。さらに、特定の植物データには特定の動物データが関連付けられ、他の特定の動物データには他の特定の植物データが関連付けられるようにして、動物データと植物データとが相互に関連付けられている。さらに、動物データには鳴声データが関連付けられている。
【００１９】
前記携帯移動端末２０は、無線方式でサーバ１０と通信可能なモバイル型ノートパソコンや携帯電話、携帯情報端末（ＰＤＡ：Personal Digital Assistant）等が好適に使用され、図１に示すように、サーバ１０等とネットワークを介してデータの送受信を行う送受信部２１と、使用者からの検索情報を受付けるキーボード、マウス、若しくは十字キー等の入力部２２と、サーバ１０から送出された鳴声データ以外の検索結果等を表示するディスプレイ等の表示部２３と、ＣＰＵ等で構成される演算処理部２５と、情報コードを読取るための読取部２６と、前記サーバ１０から送出された検索結果等を記憶する記憶部２４と、前記サーバ１０から送出された鳴声データを出力するための音声出力部２７とを備えている。また、サーバ１０や携帯移動端末２０は図１に示すような構成に限定されるものではなく、さらに、他の周知の構成を付与することも可能である。
【００２０】
そのため、図１に示す情報検索システムでは、例えば検索を行って得られた検索結果としての、図１０に示すような、動物データの詳細情報から、該動物に関連付けられた、図１１に示すような、植物データの詳細情報も同時に得ることができるので、使用者の知識をより広げることができる。以下、情報検索システムにおける検索処理について具体的に説明する。
【００２１】
図２は、携帯移動端末２０における処理の流れを示す図であり、図５は、携帯移動端末２０の表示部２３に表示されるメイン画面を示す図である。
まず、携帯移動端末２０は、使用者による入力部２２、若しくは、読取部２６を介した検索処理の要求があるか否かを判断する（ステップＳ２０１）。入力部２２が使用される場合において、具体的には、図５に示す「鳥を検索する」、「樹を検索する」、若しくは「蝶を検索する」の検索対象３１のうち、何れかが使用者によって選択された後、当該検索対象３１について検索情報が設定され、図６〜図８に示す検索実行ボタン３２が押された場合には、携帯移動端末２０は検索処理の要求があったと判断する。そして、例えば「鳥を検索する」が選択された場合には、携帯移動端末２０は、図６に示すように、使用者が鳥の特徴をプルダウンメニュー３３から選択し検索情報を設定可能な画面を表示部２３に表示する。同様に「樹を検索する」が選択された場合には、携帯移動端末２０は図７に示すような、そして「蝶を検索する」が選択された場合には、携帯移動端末２０は図８に示すような、検索情報を設定可能な画面を表示部２３に表示する。
【００２２】
使用者が、図５に示す、「鳥を検索する」を選択した場合には、図６に示す、検索情報を設定可能な画面において、「大きさ」からは、「指定しない」、「スズメくらい」、「スズメより大きい」、「ハトくらい」が選択でき、「鳥の色」からは、「指定しない」、「黒系」、「白系」、「茶系」、「黄系」、「青系」、「白系＆黒系」が選択でき、「名前」からは、「指定しない」、「あ行」〜「わ行」、及び「その他」が選択でき、「特徴」からは、「指定しない」、「黄色いクチバシ」、「尻尾が長い」、「背に黄のライン」、「翼に黒白ライン」、「お腹が白い」、「脚が赤い」が選択でき、「場所」からは、「指定しない」、「北海道」、「東北地方」、「関東地方」、「信越地方」「北陸地方」、「東海地方」、「近畿地方」、「中国地方」、「四国地方」、「九州地方」、「沖縄」が選択でき、「時期」からは「指定しない」、「春」、「夏」、「秋」、「冬」が選択できる。使用者は、検索結果として所望する鳥に該当するであろう特徴を前述のプルダウンメニュー３３から選択する。選択された特徴は検索情報となりサーバ１０に送出されるが、ここで、プルダウンメニュー３３から前記特徴を複数指定した場合には、検索結果として、これらの選択された複数の特徴のうち全てが含まれる鳥データの一覧が抽出されることになる。
【００２３】
同様に、検索対象３１として図５に示す、「樹を検索する」が選択された場合には、図７に示す、検索情報を設定可能な画面において、「葉の形」からは、ラジオボタン３４で「指定しない」、「丸い葉(ふちのギザギザ)」、「丸い葉(ふちが滑らか)」、「柊(ヒイラギ)葉」、「三裂葉」、「掌状葉」、「針葉」が選択でき、「葉の付き方」からは、ラジオボタン３４で「指定しない」、「互生」、「対生」、「輪生」が選択でき、「常緑樹」からは、プルダウンメニュー３３で「指定しない」、「常緑樹」、「落葉樹」が選択できる。また、図７に示すように、「葉の形」や「葉の付き方」等はこれらの特徴を示すイラスト３５が記載されていることが、使用者の選択を容易なものとするため好ましい。
【００２４】
同様に、検索対象３１として図５に示す、「蝶を検索する」が選択された場合には、図８に示す、検索情報を設定可能な画面において、「大きさ」からは、「指定しない」、「一円玉くらい」、「ピンポン玉くらい」、「ソフトボールくらい」が選択でき、「羽の色」からは、「黒系」、「白系」、「茶系」、「黄系」、「青系」、「白系＆黒系」が選択でき、「名前」からは、「指定しない」、「あ行」〜「わ行」、「その他」がプルダウンメニュー３３から選択できる。
【００２５】
また、既述の「鳥を検索する」、「樹を検索する」、若しくは「蝶を検索する」等の検索対象３１は、目的に応じて適宜変更することができるものとし、これらの特徴を示す項目等も適宜変更することができるのは勿論である。そして、検索対象３１や特徴等の選択方法もプルダウン形式、ラジオボタン形式を始め、周知の方法を適宜使用することができるものとし、さらには、使用者が所望する情報に含まれるであろうキーワードを、該使用者が入力部２２を用いて携帯移動端末２０に入力してもよい。
【００２６】
また、携帯移動端末２０からサーバ１０に送出される検索情報は、既述のようなものに限らず、カメラ機能を有する携帯移動端末２０を使用する場合には、当該携帯移動端末２０のカメラで撮影された植物の葉を始め、鳥や樹等の検索対象の画像データを検索情報とすることもできる。また、携帯移動端末２０にカメラ機能がない場合には、周知の方法で取得した画像データを検索情報として使用できるのは勿論である。
【００２７】
携帯移動端末２０が検索処理の要求があるか否かを判断する（ステップＳ２０１）に際して、読取部２６が使用される際には、使用者によって、該読取部２６でＱＲコード（登録商標）等の二次元式の情報コード３６が読取られた場合には、携帯移動端末２０は検索処理の要求があったと判断する。また、この場合には情報コード３６が検索情報となる。情報コード３６は、例えば図４に示すように、街路樹（植物）３７の近傍に該植物の名前と共に表示板３８等に表示されていることが、使用者が該植物を目の前にしながら、図１１に示すような、その植物の詳細情報を取得することができるので好ましい。また、植物の近傍に表示される情報コード３６は、当該植物データと関連付けられたものであってもよいが、当該植物に生息、又は好む動物データと関連付けられており、図１０に示すような、動物の詳細情報を取得できるようにしておいてもよい。また、植物の近傍に表示された情報コード３６が読取られ、動物データ、若しくは、植物データの一方が表示部２３に表示されれば、これに関連付けられた他方の詳細情報も表示可能であるので、使用者の知識をより広げることができるのである。
【００２８】
そして、情報コード３６は、植物の近傍だけでなく、例えば戸建住宅の庭に植える樹等のカタログや、これらを販売する営業職員の名刺等、さらには、図鑑等にも好適に表示することができる。
【００２９】
前記ステップＳ２０１において、携帯移動端末２０が検索処理の要求はないと判断した場合にはそのまま終了する。
一方、検索処理の要求があると判断した場合には、携帯移動端末２０は、サーバ１０に対して検索処理を実行するように、送受信部２１を介して検索処理の要求を送出する（ステップＳ２０３）。そして、検索処理の要求に対してサーバ１０からネットワークを介して送出された検索結果を、携帯移動端末２０は送受信部２１において受信するのである（ステップＳ２０５）。また、ステップＳ２０３においては、検索処理の要求と共に、検索情報がサーバ１０に送出される。
【００３０】
続いて携帯移動端末２０は、受信した検索結果を表示部２３に表示する（ステップＳ２０７）。図９は表示部２３に表示される検索結果としての動物データ一覧の画面の一例を示す図である。続いて携帯移動端末２０は追加情報の要求があるか否かを判断する（ステップＳ２０９）。具体的には、前述のように表示された検索結果に関連付けられた、各動物データ等の詳細情報が入力部２２で選択された場合には、携帯移動端末２０は追加情報の要求があったと判断する。すなわち、図９に示すように、検索結果として表示部２３に表示された、使用者が選択可能な「アカハラ」や「メジロ」等の鳥の名前を使用者が、例えば携帯電話の十字キーを操作して、その下線が引かれた特定の鳥の名前をカーソルで選択した場合である。前記ステップＳ２０９において、追加情報の要求がないと携帯移動端末２０が判断した場合にはそのまま終了する。そして、携帯移動端末２０は追加情報の要求があったと判断した場合には、サーバ１０に対して追加情報の要求を送出し（ステップＳ２１１）、追加情報の要求に対してサーバ１０からネットワークを介して送出された追加情報を、該携帯移動端末２０は送受信部２１において受信するのである（ステップＳ２１３）。
【００３１】
続いて携帯移動端末２０は、受信した追加情報を表示部２３に表示する（ステップＳ２１５）。これにより、図１０に示すような特定の動物データの詳細情報を表示させることができる。なお、以下に述べる画面においてタイトルの下に下線が引かれているものについては同様に選択することが可能である。そして、動物データの詳細情報には、例えばその鳥の名称を始め、画像、大きさ、色、及び発生時期等の特徴、鳴き声、そして当該鳥が生息又は好む樹等が表示されるが、これらの内容も必要に応じて適宜変更することができるのは勿論である。
【００３２】
また、動物データと植物データとは相互に関連付けられているので、図１０に示すように、動物データの詳細情報内で表示された該鳥が生息又は好む樹は、「呼べる樹」として表示され、使用者は下線が引かれた樹の名称をさらに追加情報として選択することで植物データの詳細情報を表示部２３に表示させることができる。また、図１１は前述のように表示された植物データの詳細情報であり、樹の名称や画像、さらには育成方法等が記載された特徴、鑑賞時期、そして当該樹に生息、又は好む鳥が「呼べる鳥」として表示されているが、これらの内容も必要に応じて適宜変更することができるのは勿論である。また、「呼べる鳥」として表示された鳥の名前は選択可能となっており、追加情報としてこれらの詳細情報を表示できることは勿論である。そのため、特定の植物データからこれに関連する動物データの詳細情報を知ることができ、逆に特定に動物データからこれに関連する植物データの詳細情報を知ることができるので、使用者の知識の幅を大きく広げることができるのである。
【００３３】
そして、図１０に示す「鳴き声」の下には下線が引かれた「鳴き声を聞く」との表示があり、これを追加情報として選択した場合には、受信した追加情報には鳴声データが含まれるため、当該鳴声データは表示部２３ではなく音声出力部２７から出力されるようになっている。図９に示す画面においては、前述の鳥の名前の下に、下線が引かれた「鳴き声を聞く」というタイトルがあるが、これを追加情報として選択した場合には、同様に鳴き声が音声出力部２７から出力されるようになっている。そして、表示部２３に表示された鳥の画像、及び鳥の鳴き声を記憶部２４に保存することも可能であり、該記憶部２４に記憶された該鳥の画像を携帯電話等の待ち受け画面に、また、該鳥の鳴き声を携帯電話の着信音に設定することも可能である。
【００３４】
また、表示部２３に表示される検索結果は、サーバ１０に送出される検索情報によって異なることは勿論であり、図９に示す動物データ一覧、図１０に示す動物データの詳細情報、図１１に示す植物データの詳細情報を始めとして、植物データ一覧も検索結果して表示され、また、これらの内容に限定されるものではない。
【００３５】
次に、サーバ１０における処理の流れを説明する。図３はサーバ１０における処理の流れを示す図である。
まず、サーバ１０は送受信部１１を介して携帯移動端末２０が送出した検索処理の要求を受信したか否かを判断する（ステップＳ１０１）。検索処理の要求を受信しないと判断した場合はそのまま終了する。一方、検索処理の要求を受信したと判断した場合、サーバ１０は検索処理の要求と共に携帯移動端末２０から送出された検索情報を基に検索実行部１２において検索処理を実行する（ステップＳ１０３）。
【００３６】
ステップＳ１０３における検索処理は、検索実行部１２がデータベース１３内の植物データ蓄積部１４、動物データ蓄積部１５において、当該検索処理に際し指定された鳥等の特徴や、情報コード３６等の検索情報と関連付けられた、動物データや植物データ一覧、若しくはこれらの詳細情報等の検索結果を抽出する。続けてサーバ１０は、送受信部１１を介して前記検索結果を携帯移動端末２０へ送出する（ステップＳ１０５）。
【００３７】
なお、前述のようにサーバ１０が携帯移動端末２０に送出した、図９に示すような、検索結果に関連して、当該携帯移動端末２０から、例えば図１０に示すような、所定の鳥データの詳細情報等の追加情報の要求を受信したか否かを判断する（ステップＳ１０７）。追加情報の要求を受信しないと判断した場合はそのまま終了する。一方、追加情報の要求を受信したと判断した場合、サーバ１０は追加情報を携帯移動端末２０へ送出する（ステップＳ１０９）。具体的には、図９に示すような、動物データの一覧から、鳥の名前が使用者によって選択され、図１０に示すような動物データの詳細情報が追加情報として携帯移動端末２０から要求された場合には、サーバ１０は指定された動物データに関連付けられた詳細情報を携帯移動端末２０へ送出する。
【００３８】
その際には、動物データと植物データとが互いに関連付けられているので、動物データの詳細情報には、既述の「呼べる樹」の欄に掲載された樹の名前が、追加情報として使用者によって選択可能なようになっている。そして、既述のように使用者が追加情報として、「呼べる樹」の中から特定の樹を選択し追加情報を要求した場合には、サーバ１０は、前記特定の樹に関連付けられた、例えば図１１に示すような植物データの詳細情報を携帯移動端末２０に送出する（ステップＳ１０９）。また、図９、及び図１０に表示された選択可能な「鳴き声を聞く」が使用者によって追加情報として選択され、鳴声データの要求が携帯移動端末２０から送出された場合には、サーバ１０は特定の動物データに関連付けられた鳴声データを携帯移動端末２０に送出する（ステップＳ１０９）。
【００３９】
以上のようにして検索策処理が行われるが、これらの処理は一例であり適宜変更することができる。また、例えば図９に示す検索結果として表示部２３に表示される画面には、検索結果と同時に「再検索」が表示されていてもよく、この場合にはプルダウンメニュー３３から検索情報を入力し、検索実行ボタン３２を選択することで、再び携帯移動端末２０は検索処理の要求があったと判断する。また、「再検索」の表示はいずれの検索結果の画面に表示してもよい。その他にも図８のメイン画面を始め、検索結果を表示する画面等には、使用者が選択可能な「お知らせ」や「ヘルプ」等、周知の機能を付与してもよく、目的に応じてこれらを適宜選択して使用することができる。そして、既述の検索処理はサーバ１０の管理人が行うこともできる。
【００４０】
また、サーバ１０のデータベース１３に全国各地で計測された雨のＰＨデータを地図データと季節に関するデータ等と共に蓄積しておけば、どの地域で雨の酸性化か進んでいるかということを容易に確認することができる。さらに、サーバ１０のデータベース１３に全国各地で計測された桜の開花データを地図データと季節に関するデータ等と共に蓄積しておけば、全国の桜の開花情報を容易に確認することができる。また、前述の雨のＰＨデータ、及び桜の開花データ等はサーバ１０の管理者自らが調査してもよいが、使用者からの投稿システムを具備しておけば、当該使用者から投稿された投稿データをもとに、全国各地の雨のＰＨデータ、及び桜の開花データ等のデータベース１３を構築することもできる。
【００４１】
以上のようにして、使用者の所望する特定の植物データ、若しくは動物データを検索する際にも、携帯移動端末２０への検索条件の指定を容易に行うことができると共に、抽出された検索結果から、特定の動物データの詳細情報や、特定の植物データの詳細情報だけでなく、それぞれに関連した植物データの詳細情報や、動物データの詳細情報をも同時に抽出し表示することができるので、使用者の知識を大きく広げることができる。
【産業上の利用可能性】
【００４２】
本発明に係る情報検索システムは、ハイキング等の最中の動植物の検索にも使用することができることは勿論、オリエンテーリング中に行われるゲームの一環としても利用可能である。
【図面の簡単な説明】
【００４３】
【図１】実施形態に係る情報検索システムの説明図
【図２】携帯移動端末における処理の流れを示す図
【図３】サーバにおける処理の流れを示す図
【図４】植物の近傍に情報コードが表示された状態を示す図
【図５】調査対象を選択するメイン画面を示す図
【図６】鳥を検索する場合において検索情報を設定する画面を示す図
【図７】樹を検索する場合において検索情報を設定する画面を示す図
【図８】蝶を検索する場合において検索情報を設定する画面を示す図
【図９】動物データの一覧が表示された画面を示す図
【図１０】動物データの詳細情報が表示された画面を示す図
【図１１】植物データの詳細情報が表示された画面を示す図
【符号の説明】
【００４４】
１０    サーバ
１３    データベース
１４    植物データ蓄積部
１５    動物データ蓄積部
２０    携帯移動端末
【図１】
2009075714.tif 000003
【図２】
2009075714.tif 000004
【図３】
2009075714.tif 000005
【図４】
2009075714.tif 000006
【図５】
2009075714.tif 000007
【図６】
2009075714.tif 000008
【図７】
2009075714.tif 000009
【図８】
2009075714.tif 000010
【図９】
2009075714.tif 000011
【図１０】
2009075714.tif 000012
【図１１】
2009075714.tif 000013